(57)【要約】      （修正有）【課題】シグナルターミナルから発生する信号反射を低減する電気コネクタを提供する。【解決手段】電気コネクタ１００は、前部にケーブル挿入部１１１が、後部に第１、第２ターミナル挿入部１１２が形成されるハウジング１１０と、ケーブル挿入部１１１に挿入されたケーブル１を加圧するアクチュエータ１２０と、第１ターミナル挿入部に挿入され、アクチュエータのシャフト部１２１を囲む上部アーム１３２、及びケーブルのグランドパッドに接触する下部アーム１３３を備えるグランドターミナル１３０と、第２ターミナル挿入部に挿入され、ケーブルのシグナルパッドに接触する単一アーム１４２を備えるシグナルターミナル１４０とを含み、第１ターミナル挿入部は、ハウジングの上壁、底壁及び中間壁により規定され、上部アームは、上壁と中間壁の間に圧入固定され、下部アームは、中間壁及び底壁からそれぞれ離隔して配置される。【選択図】図２
0003234758.tif 000002
【実用新案登録請求の範囲】
【請求項１】
前部にはケーブル挿入部が形成され、後部には第１ターミナル挿入部及び第２ターミナル挿入部が形成されたハウジングと、
回転操作により前記ケーブル挿入部を覆うように構成され、回転軸を形成するシャフト部、及び前記ケーブル挿入部を覆うように配置されると前記ケーブル挿入部に挿入されたケーブルを加圧するボディ部を含むアクチュエータと、
前記ハウジングの後方から前記第１ターミナル挿入部に挿入され、前記アクチュエータの回転をガイドするように前記シャフト部の一部を囲む上部アーム、及び前記ケーブルの底面に形成されたグランドパッドに接触する下部アームを備えた複数のグランドターミナルと、
前記ハウジングの後方から前記第２ターミナル挿入部に挿入され、前記ケーブルの底面に形成されたシグナルパッドに接触する単一アームを備えた複数のシグナルターミナルと、を含み、
前記第１ターミナル挿入部は、前記ハウジングの上壁、底壁、及び前記上壁と前記底壁の間に配置されて前記ハウジングの内壁面に連結される島状の中間壁により規定され、
前記上部アームは、前記上壁と前記中間壁の間に圧入固定され、
前記下部アームは、前記中間壁と前記底壁の間を貫通して前方の前記ケーブル挿入部に延び、前記中間壁と前記底壁の間で弾性変形するように、前記中間壁及び前記底壁からそれぞれ離隔して配置されている、
ことを特徴とする電気コネクタ。
【請求項２】
前記上部アームの上部及び下部の少なくとも一方には第１圧入突出部が備えられ、
前記複数のグランドターミナルのそれぞれは、前記第１圧入突出部が対向する前記上壁及び前記中間壁の少なくとも一方に圧接固定されることにより、前記第１ターミナル挿入部内に固定されることを特徴とする請求項１に記載の電気コネクタ。
【請求項３】
前記第２ターミナル挿入部は、前記ハウジングの上壁、底壁、及び前記上壁から下方に突設された突出壁により規定され、
前記複数のシグナルターミナルの上部及び下部の少なくとも一方には第２圧入突出部が備えられ、
前記複数のシグナルターミナルのそれぞれは、前記第２圧入突出部が対向する前記突出壁及び前記底壁の少なくとも一方に圧接固定されることにより、前記第２ターミナル挿入部内に固定されることを特徴とする請求項１に記載の電気コネクタ。
【請求項４】
前記中間壁と前記突出壁とは、前記ハウジングの長手方向に所定の順序で繰り返し配置されていることを特徴とする請求項３に記載の電気コネクタ。
【請求項５】
前記複数のシグナルターミナルと前記アクチュエータとが前記電気コネクタの厚さ方向に重なる領域内において、前記複数のシグナルターミナルは、前記アクチュエータの下方にのみ位置することを特徴とする請求項１に記載の電気コネクタ。
【請求項６】
前記複数のグランドターミナルのそれぞれは、前記アクチュエータの長手方向に所定の間隔をおいて前記複数のシグナルターミナルの間に配置されることを特徴とする請求項１に記載の電気コネクタ。
【請求項７】
前記上部アームには、前記シャフト部の上側を囲むように下方に開放された回転ガイド凹部が形成されていることを特徴とする請求項１に記載の電気コネクタ。
【請求項８】
前記ケーブル挿入部の両側部に結合される締結部、及び回路基板に半田付けされる固定部を備え、前記シャフト部を支持する一対のフィッティングネイルをさらに含むことを特徴とする請求項７に記載の電気コネクタ。
【請求項９】
前記締結部は、
前記ケーブル挿入部の側部に形成されたスロットに挿入されるベースと、
前記ベースの上側から後方に延びて、前記ハウジングの固定溝に挿入される第１アームと、
前記ベースの下側から後方に延びて、前記ハウジングを挟んで前記第１アームに対向して配置される第２アームと、
を含むことを特徴とする請求項８に記載の電気コネクタ。
【請求項１０】
前記シャフト部は、前記第１アームの上面に支持されることを特徴とする請求項９に記載の電気コネクタ。
【請求項１１】
前記第２アームは、前記ハウジングの底面において上側に凹んで形成される収容溝に挿入されることを特徴とする請求項１０に記載の電気コネクタ。
【請求項１２】
前記アクチュエータには、固定孔が形成され、
前記締結部には、前記アクチュエータが前記ケーブル挿入部を覆うように配置された状態で前記固定孔に挿入される固定突起が突設されていることを特徴とする請求項８に記載の電気コネクタ。
【考案の詳細な説明】
【技術分野】
【０００１】
本考案は、フレキシブルケーブルと回路基板を電気的に接続して電気回路を構成する電気コネクタに関する。
【背景技術】
【０００２】
電子機器には、複数の電子素子が備えられており、互いに離隔して配置された電子素子を電気的に接続するために、軟質のフレキシブルフラットケーブル（Flexible Flat Cable: FFC）やフレキシブルプリント基板（Flexible Printed Circuit: FPC）などが広く用いられている。前記フレキシブルフラットケーブル及び前記フレキシブルプリント基板（以下、これらを「ケーブル」と称する）は、その端部に複数の電極が幅方向に並んで配列された構造を有する。このようなケーブルは、回路基板に実装されたコネクタに挿脱可能に接続され、前記コネクタを介して前記回路基板に電気的に接続される。
【０００３】
図１５は、従来技術による電気コネクタ１０の一例であり、シグナルターミナル１２における信号の反射現象を説明するための概念図であり、図１６は、図１５に示す電気コネクタ１０におけるインピーダンスを示すグラフである。
【０００４】
図１５に示すように、電気コネクタ１０は、回路基板２に実装されて、挿入されたケーブル１に接続されてケーブル１と回路基板２を電気的に接続する。このような電気コネクタ１０は、ハウジング１１と、ハウジング１１の長手方向に配列されるターミナルと、回転動作によりケーブル１をハウジング１１に固定／分離すると共にターミナルに接触／解除するアクチュエータ１３と、ハウジング１１を回路基板２上に固定するフィッティングネイル１４とを含む。
【０００５】
前記ターミナルは、機能によって、グランドターミナルとシグナルターミナル１２とに分けられる。シグナルターミナル１２は、後部に、回路基板２に実装される半田付け部１２ａを備え、前部に、ケーブル１の電極に接触する下部アーム１２ｂとアクチュエータ１３の回転軸１３ａの一部を囲む上部アーム１２ｃとに分岐した分岐構造を有する。なお、グランドターミナルは、シグナルターミナル１２と同様に分岐構造を有し、かつ、アクチュエータ１３の支持及び回転ガイドのために、上部アームがアクチュエータ１３の回転軸１３ａの他の一部を囲むように構成される。
【０００６】
シグナルターミナル１２においては、前記分岐構造により信号の反射現象（又は信号の渦流現象）が発生するという問題があった。具体的には、回路基板２からシグナルターミナル１２を介してケーブル１に信号が伝送される場合、半田付け部１２ａを介してシグナルターミナル１２に流入した信号の一部は、下部アーム１２ｂを介して直ちにケーブル１に伝送されるのではなく、上部アーム１２ｃを経由しながら信号の反射を起こす。図１６に示すように、前記信号の反射現象により、電気コネクタ１０におけるインピーダンスは急激に低下する。このような分岐構造による信号の反射現象は信号の高速伝送を妨げるので、分岐構造のシグナルターミナル１２を備える電気コネクタ１０は高速伝送用に適していないという問題があった。
【０００７】
上記問題を解決するために、シグナルターミナル１２が上部アーム１２ｃを備えないように設計を変更した場合、アクチュエータ１３の支持及び回転動作が円滑に行われないという問題が生じる。よって、信号の反射現象を低減しながらも、アクチュエータ１３の支持及び回転動作が円滑に行われるようにすることのできる電気コネクタ１０に関する研究が行われている。
【考案の概要】
【考案が解決しようとする課題】
【０００８】
本考案の第１の目的は、ケーブルと回路基板の間の信号伝送過程でシグナルターミナルから発生する信号の反射を低減する構造を有する電気コネクタを提供することにある。
【０００９】
本考案の第２の目的は、上記第１の目的を達成するためにシグナルターミナルが新たな形態を有するようにしても、ケーブルを固定／分離するためのアクチュエータの支持及び回転動作が円滑に行われるようにすることのできる電気コネクタを提供することにある。
【００１０】
本考案の第３の目的は、上記第１の目的を達成するための構造において、グランドターミナルとシグナルターミナルがハウジングに強固に固定されると共に弾性可動範囲が確保される構造を有する電気コネクタを提供することにある。
【課題を解決するための手段】
【００１１】
本考案の第１の目的を達成するために、本考案の電気コネクタは、前部にはケーブル挿入部が形成され、後部には第１ターミナル挿入部及び第２ターミナル挿入部が形成されたハウジングと、回転操作により前記ケーブル挿入部を覆うように構成され、回転軸を形成するシャフト部、及び前記ケーブル挿入部を覆うように配置されると前記ケーブル挿入部に挿入されたケーブルを加圧するボディ部を含むアクチュエータと、前記ハウジングの後方から前記第１ターミナル挿入部に挿入され、前記アクチュエータの回転をガイドするように前記シャフト部の一部を囲む上部アーム、及び前記ケーブルの底面に形成されたグランドパッドに接触する下部アームを備える複数のグランドターミナルと、前記ハウジングの後方から前記第２ターミナル挿入部に挿入され、前記ケーブルの底面に形成されたシグナルパッドに接触する単一アームを備える複数のシグナルターミナルとを含み、前記第１ターミナル挿入部は、前記ハウジングの上壁、底壁、及び前記上壁と前記底壁間に配置されて前記ハウジングの内壁面に連結される島状の中間壁により規定され、前記上部アームは、前記上壁と前記中間壁の間に圧入固定され、前記下部アームは、前記中間壁と前記底壁の間を貫通して前方の前記ケーブル挿入部に延び、前記中間壁と前記底壁の間で弾性変形するように、前記中間壁及び前記底壁からそれぞれ離隔して配置される。
【００１２】
前記複数のグランドターミナルのそれぞれは、前記ハウジング内で前記上部アームと前記下部アームとに分岐し、前記複数のシグナルターミナルのそれぞれは、分岐することなく延びて前記単一アームを形成する。
【００１３】
前記複数のシグナルターミナルと前記アクチュエータとが前記電気コネクタの厚さ方向に重なる領域内において、前記複数のシグナルターミナルは、前記アクチュエータの下方にのみ位置する。
【００１４】
前記複数のグランドターミナルのそれぞれは、前記アクチュエータの長手方向に所定の間隔をおいて前記複数のシグナルターミナルの間に配置されるようにしてもよい。
【００１５】
本考案の第２の目的を達成するために、前記上部アームには、前記シャフト部の上側を囲むように下方に開放された回転ガイド凹部が形成される。
【００１６】
また、前記電気コネクタは、一対のフィッティングネイルをさらに含み、前記フィッティングネイルは、前記ケーブル挿入部の両側部に結合される締結部、及び回路基板に半田付けされる固定部を備え、前記シャフト部を支持するように構成される。
【００１７】
前記締結部は、前記ケーブル挿入部の側部に形成されたスロットに挿入されるベースと、前記ベースの上側から後方に延び、前記ハウジングの固定溝に挿入される第１アームと、前記ベースの下側から後方に延び、前記ハウジングを挟んで前記第１アームに対向して配置される第２アームとを含むようにしてもよい。
【００１８】
前記シャフト部は、前記第１アームの上面に支持されるようにしてもよい。
【００１９】
前記第２アームは、前記ハウジングの底面において上側に凹んで形成される収容溝に挿入されるようにしてもよい。
【００２０】
前記アクチュエータには、固定孔が形成され、前記締結部には、前記アクチュエータが前記ケーブル挿入部を覆うように配置された状態で前記固定孔に挿入される固定突起が突設されるようにしてもよい。
【００２１】
本考案の第３の目的を達成するために、前記上部アームの上部及び下部の少なくとも一方には第１圧入突出部が備えられ、前記複数のグランドターミナルのそれぞれは、前記第１圧入突出部が対向する前記上壁及び前記中間壁の少なくとも一方に圧接固定されることにより、前記第１ターミナル挿入部内に固定されるように構成される。
【００２２】
また、前記第２ターミナル挿入部は、前記ハウジングの上壁、底壁、及び前記上壁から下方に突設された突出壁により規定され、前記複数のシグナルターミナルの上部及び下部の少なくとも一方には第２圧入突出部が備えられ、前記複数のシグナルターミナルのそれぞれは、前記第２圧入突出部が対向する前記突出壁及び前記底壁の少なくとも一方に圧接触固定されることにより、前記第２ターミナル挿入部内に固定されるように構成される。
【００２３】
前記中間壁と前記突出壁とは、前記ハウジングの長手方向に所定の順序で繰り返し配置されるようにしてもよい。
【考案の効果】
【００２４】
上記解決手段により得られる本考案の効果は次の通りである。
【００２５】
第一に、本考案において、シグナルターミナルは、途中で分岐することなく前後方に長く延設され、回路基板とケーブルを接続する。上記構造によれば、分岐した形態を有する従来のシグナルターミナルから発生していた信号の反射現象を低減することができる。よって、電気コネクタにおけるインピーダンスマッチングを改善することができ、信号の伝送をより高速に行うことができる。
【００２６】
第二に、本考案において、アクチュエータの回転軸を形成するシャフト部は、下側がフィッティングネイルに支持され、上側がグランドターミナルの上部アームに囲まれるように構成される。よって、シグナルターミナルによる回転ガイド構造を有しなくても、フィッティングネイルとグランドターミナルによりアクチュエータの回転動作が円滑に行われるようになる。
【００２７】
第三に、本考案において、グランドターミナルは、上部アームが上壁と中間壁の間に圧入固定され、下部アームが中間壁及び底壁からそれぞれ離隔して配置されるように設計されるので、下部アームの弾性可動範囲が十分に確保される。また、ケーブル挿入部に下部アームの前端部が挿入される孔が形成されるので、弾性可動範囲がさらに増加する。シグナルターミナルは、単一アームが突出壁と底壁の間に圧入固定されるが、ケーブル挿入部に単一アームの前端部が挿入される孔が形成されるので、弾性可動範囲が十分に確保される。
【図面の簡単な説明】
【００２８】
【図１】本考案の一実施形態による電気コネクタを示す斜視図である。
【図２】図１に示す電気コネクタを分解して一方向から見た図である。
【図３】図１に示す電気コネクタを分解して他の方向から見た図である。
【図４】図１のＡ−Ａ線断面図である。
【図５】図１のＢ−Ｂ線断面図である。
【図６】図１に示す電気コネクタの平面図である。
【図７】図１に示す電気コネクタにおけるインピーダンスを示すグラフである。
【図８】図２に示すフィッティングネイルの拡大図である。
【図９】図２のＣ部を一方向から見た図である。
【図１０】図２のＣ部を他の方向から見た図である。
【図１１】図１のＤ−Ｄ線断面図である。
【図１２】アクチュエータがグランドターミナルとフィッティングネイルにより回転支持される構造を説明するための概念図である。
【図１３】アクチュエータがグランドターミナルとフィッティングネイルにより回転支持される構造を説明するための概念図である。
【図１４】図１のＥ部の拡大図である。
【図１５】従来技術による電気コネクタの一例であり、シグナルターミナルにおける信号の反射現象を説明するための概念図である。
【図１６】図１５に示す電気コネクタにおけるインピーダンスを示すグラフである。
【考案を実施するための形態】
【００２９】
以下、添付図面を参照して、本考案による電気コネクタについてより詳細に説明する。
【００３０】
本考案の実施形態について説明するにあたり、関連する公知技術についての具体的な説明が本考案の実施形態の要旨を不明にすると判断される場合は、その詳細な説明を省略する。
【００３１】
また、添付図面は本考案の実施形態の理解を助けるためのものにすぎず、添付図面により本考案の技術的思想が限定されるものではなく、本考案の思想及び技術範囲に含まれるあらゆる変更、均等物乃至代替物を含むものと理解すべきである。
【００３２】
以下の説明において、単数の表現には、特に断らない限り複数の表現が含まれる。
【００３３】
本明細書において、「含む」や「有する」などの用語は、本明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００３４】
図１は、本考案の一実施形態による電気コネクタ１００を示す斜視図である。
【００３５】
図１を参照すると、電気コネクタ１００は、ケーブル１と回路基板（図示せず、図１５の符号２参照）を電気的に接続して電気回路を構成する。具体的には、電気コネクタ１００は、回路基板に実装され、アクチュエータ１２０が開いた状態で、電気コネクタ１００にケーブル１の端部が挿入され、その後アクチュエータ１２０が閉じると、電気コネクタ１００に備えられたターミナル１３０、１４０とケーブル１の端部に形成された端子部１ａの電気的接続が行われるように構成される。
【００３６】
なお、電気コネクタ１００が実装される回路基板には、リジッドな材質の回路基板だけでなく、フレキシブルな材質のフレキシブルプリント基板が含まれる。つまり、本実施形態においては、電気コネクタ１００がリジッドな回路基板に実装された場合を例に挙げて説明しているが、本考案は、これに限定されるものではない。電気コネクタ１００は、フレキシブルプリント基板に実装され、ケーブル１とフレキシブルプリント基板を電気的に接続するように構成されてもよい。
【００３７】
図２及び図３は、図１に示す電気コネクタ１００を分解して異なる方向から見た図であり、図４は、図１のＡ−Ａ線断面図であり、図５は、図１のＢ−Ｂ線断面図である。
【００３８】
図２〜図５に示すように、電気コネクタ１００は、ハウジング１１０、アクチュエータ１２０、一対のフィッティングネイル１５０、複数のグランドターミナル１３０及び複数のシグナルターミナル１４０を含む。
【００３９】
ハウジング１１０は、電気コネクタ１００の筐体を形成する。ハウジング１１０は、複数のグランドターミナル１３０及び複数のシグナルターミナル１４０のそれぞれの電気的絶縁のために、非導電性の合成樹脂材質からなる。
【００４０】
ハウジング１１０の前部にはケーブル挿入部１１１が形成されている。ケーブル挿入部１１１は、前方と上方が開放され、ハウジング１１０の長手方向（同図におけるハウジング１１０の左右方向）に長く延設される。
【００４１】
ハウジング１１０の後部にはターミナル挿入部１１２が形成されている。ターミナル挿入部１１２は、複数のグランドターミナル１３０のそれぞれが挿入される第１ターミナル挿入部１１２’と、複数のシグナルターミナル１４０のそれぞれが挿入される第２ターミナル挿入部１１２’’とを含む。同図において、第１ターミナル挿入部１１２’及び第２ターミナル挿入部１１２’’は、ハウジング１１０の前後方向に延設され、ケーブル挿入部１１１に連通している。第１ターミナル挿入部１１２’及び第２ターミナル挿入部１１２’’は、ハウジング１１０の左右方向に所定の順序で配列されてもよい。例えば、１つの第１ターミナル挿入部１１２’が配置され、その後２つの第２ターミナル挿入部１１２’’が配置され、その配列がハウジング１１０の左右方向に繰り返されるように構成されてもよい。
【００４２】
アクチュエータ１２０は、回転操作によりケーブル挿入部１１１を覆うように構成されている。アクチュエータ１２０は、回転軸を形成するシャフト部１２１と、ケーブル挿入部１１１を覆うように配置されるとケーブル挿入部１１１に挿入されたケーブル１を加圧するボディ部１２２とを含む。アクチュエータ１２０は、非導電性の合成樹脂材質からなる。
【００４３】
ボディ部１２２には、回転操作のための突出部１２２ｃが備えられてもよい。同図においては、突出部１２２ｃが、ボディ部１２２の中間位置から前方に突設され、ボディ部１２２の他の部分より広い面積を有するように構成された場合を示す。突出部１２２ｃは、アクチュエータ１２０を完全に閉じる際に押圧する部分として機能し、アクチュエータ１２０を持ち上げる際に取っ手の役割を果たす。
【００４４】
ボディ部１２２の両側面には、ロック突起１２２ｂが備えられてもよい。ケーブル挿入部１１１の両側面には、ロック突起１２２ｂに対応するロック凹部１１１ｄが形成されてもよい。アクチュエータ１２０が完全に閉じた状態で、ロック突起１２２ｂは、ロック凹部１１１ｄに係止され、弱い力ではアクチュエータ１２０が持ち上げられないようにしてもよい。
【００４５】
ハウジング１１０の両側部には、フィッティングネイル１５０がそれぞれ結合され、その一対のフィッティングネイル１５０は、回路基板に半田付けされ、ハウジング１１０を回路基板に固定する。一対のフィッティングネイル１５０は、アクチュエータ１２０のシャフト部１２１を下側から支持するように構成される。
【００４６】
図４に示すように、複数のグランドターミナル１３０は、導電性の金属材質からなり、ハウジング１１０の後方から第１ターミナル挿入部１１２’に挿入される。複数のグランドターミナル１３０のそれぞれは、アクチュエータ１２０の回転をガイドするようにシャフト部１２１の一部を囲む上部アーム１３２と、ケーブル１の底面に形成されたグランドパッド１ａ’に接触する下部アーム１３３とを備える。
【００４７】
第１ターミナル挿入部１１２’は、ハウジング１１０の上壁１１３、底壁１１４、及び上壁１１３と底壁１１４間に配置される島状の中間壁１１５により規定される。中間壁１１５は、ハウジング１１０の内壁面１１０ａに連結される形態で実現されてもよい。
【００４８】
よって、上壁１１３と中間壁１１５の間、及び底壁１１４と中間壁１１５の間には、それぞれ空間が形成される。グランドターミナル１３０は、ハウジング１１０に組み付けられる際、上部アーム１３２及び下部アーム１３３が前記空間に挿入されることによって、第１ターミナル挿入部１１２’に挿入される。
【００４９】
また、ハウジング１１０の上壁１１３及び突出壁１１６は、ハウジング１１０の長手方向に所定の順序で繰り返し配置されてもよい。ここで、上壁１１３及び突出壁１１６が繰り返し配置される順序と上壁１１３及び突出壁１１６の数は、電気コネクタ１００の設計条件に応じて選択的に決定される。
【００５０】
より詳細には、グランドターミナル１３０は、半田付け部１３１、上部アーム１３２及び下部アーム１３３を備える。
【００５１】
半田付け部１３１は、グランドターミナル１３０の後部に配置され、第１ターミナル挿入部１１２’の後方側から回路基板に半田付けされる。
【００５２】
グランドターミナル１３０は、ハウジング１１０内で上部アーム１３２と下部アーム１３３とに分岐している。上部アーム１３２の一部と下部アーム１３３の一部とは、ケーブル挿入部１１１内に露出する。
【００５３】
具体的には、上部アーム１３２は、ケーブル挿入部１１１の背面から突出し、シャフト部１２１の上側を囲むように下方に開放された回転ガイド凹部１３２ａを備える。同図においては、回転ガイド凹部１３２ａが、半円状に形成され、シャフト部１２１の上側を囲むように配置された場合を示す。
【００５４】
上部アーム１３２は、ハウジング１１０の上壁１１３と中間壁１１５の間に圧入固定される。このために、上部アーム１３２の上部及び下部の少なくとも一方には第１圧入突出部１３２ｂが備えられる。複数のグランドターミナル１３０のそれぞれは、第１圧入突出部１３２ｂが対向するハウジング１１０の上壁１１３及び中間壁１１５の少なくとも一方に圧接固定されることにより、第１ターミナル挿入部１１２’内に固定される。図４においては、一例として、第１圧入突出部１３２ｂが上部アーム１３２の下部に備えられ、中間壁１１５に圧接固定された場合を示す。
【００５５】
下部アーム１３３は、ハウジング１１０の中間壁１１５と底壁１１４の間を貫通して前方のケーブル挿入部１１１に延びる。下部アーム１３３は、中間壁１１５と底壁１１４の間で弾性変形が可能なように、中間壁１１５及び底壁１１４からそれぞれ離隔して配置される。なお、図４においては、ケーブル１がケーブル挿入部１１１に挿入され、その後アクチュエータ１２０が閉じることにより、下部アーム１３３が下方に加圧された状態を示す。このとき、下部アーム１３３は底壁１１４に支持される。アクチュエータ１２０が開いた状態では、下部アーム１３３が底壁１１４に支持された状態ではなく、底壁１１４から離隔した状態で位置する。
【００５６】
下部アーム１３３の前端部には、ケーブル１がケーブル挿入部１１１に挿入されるとケーブル１の底面に形成されたグランドパッド１ａ’に接触する接触突起１３３ａが備えられている。接触突起１３３ａは、下部アーム１３３の前端部に少なくとも１つ備えられている。同図においては、下部アーム１３３の前端部に２つの接触突起１３３ａが備えられた場合を示す。
【００５７】
ケーブル挿入部１１１には、下部アーム１３３の前端部に対応する孔１１１’が形成されてもよい。孔１１１’は、下部アーム１３３の前端部の下方への所定の弾性変形を可能にする空間を提供する。具体的には、ケーブル１が下部アーム１３３の接触突起１３３ａに接触した状態でアクチュエータ１２０が閉じられると、アクチュエータ１２０の加圧により、下部アーム１３３の前端部が孔１１１’に挿入される。このとき、接触突起１３３ａは、グランドパッド１ａ’に弾性接触し、グランドパッド１ａ’に加わる圧力を低減する。
【００５８】
図５に示すように、複数のシグナルターミナル１４０は、導電性の金属材質からなり、ハウジング１１０の後方から第２ターミナル挿入部１１２’’に挿入される。複数のシグナルターミナル１４０のそれぞれは、ケーブル１の底面に形成されたシグナルパッド１ａ’’に接触する単一アーム１４２を備える。
【００５９】
第２ターミナル挿入部１１２’’は、ハウジング１１０の上壁１１３、底壁１１４、及び上壁１１３から下方に突設された突出壁１１６により規定される。突出壁１１６は、上壁１１３の後方側から突出して段差を形成する。相対的に凹んだ上壁１１３の内側空間は、ケーブル１の前端部が挿入される空間を形成し、前記段差は、ケーブル１の前端部がコンタクトする（当接する）ストッパ機能を実現する。シグナルターミナル１４０は、ハウジング１１０の突出壁１１６と底壁１１４の間に圧入固定される。このために、シグナルターミナル１４０の上部及び下部の少なくとも一方には第２圧入突出部１４３が備えられている。複数のシグナルターミナル１４０のそれぞれは、第２圧入突出部１４３が対向するハウジング１１０の突出壁１１６及び底壁１１４の少なくとも一方に圧接固定されることにより、第２ターミナル挿入部１１２’’内に固定される。図５においては、一例として、第２圧入突出部１４３がシグナルターミナル１４０の上部に備えられ、シグナルターミナル１４０が突出壁１１６に圧接固定された場合を示す。
【００６０】
より詳細には、シグナルターミナル１４０は、半田付け部１４１及び単一アーム１４２を備える。
【００６１】
半田付け部１４１は、シグナルターミナル１４０の後部に配置され、第２ターミナル挿入部１１２’’の後方側から回路基板に半田付けされる。
【００６２】
単一アーム１４２は、半田付け部１４１から分岐することなく延びている。単一アーム１４２の前端部には、ケーブル１がケーブル挿入部１１１に挿入されるとケーブル１の底面に形成されたシグナルパッド１ａ’’に接触する接触突起１４２ａが備えられている。接触突起１４２ａは、単一アーム１４２の前端部に少なくとも１つ備えられる。同図においては、単一アーム１４２の前端部に２つの接触突起１４２ａが備えられた場合を示す。
【００６３】
ケーブル挿入部１１１には、単一アーム１４２の前端部に対応する孔１１１’が形成されてもよい。孔１１１’は、単一アーム１４２の前端部の下方への所定の弾性変形を可能にする空間を提供する。具体的には、ケーブル１が単一アーム１４２の接触突起１４２ａに接触した状態でアクチュエータ１２０が閉じられると、アクチュエータ１２０の加圧により、単一アーム１４２の前端部が孔１１１’に挿入される。このとき、接触突起１４２ａは、シグナルパッド１ａ’’に弾性接触し、シグナルパッド１ａ’’に加わる圧力を低減する。
【００６４】
図５を図４と比較すると、シグナルターミナル１４０は、グランドターミナル１３０とは異なり、分岐構造を有するのではなく、半田付け部１４１から単一アーム１４２まで分岐することなく延びた構造を有する。すなわち、シグナルターミナル１４０には、グランドターミナル１３０の上部アーム１３２に対応する構成が備えられない。よって、シグナルターミナル１４０は、シャフト部１２１の一部を囲むように構成されない。
【００６５】
グランドターミナル１３０とアクチュエータ１２０とが電気コネクタ１００の厚さ方向に重なる領域内において、上部アーム１３２は、シャフト部１２１の上方に位置し、下部アーム１３３は、アクチュエータ１２０の下方に位置する。それに対して、シグナルターミナル１４０とアクチュエータ１２０とが電気コネクタ１００の厚さ方向に重なる領域内において、シグナルターミナル１４０は、アクチュエータ１２０の下方にのみ位置する。
【００６６】
シグナルターミナル１４０が半田付け部１４１から単一アーム１４２まで分岐することなく延びた構造を有するので、信号が回路基板からシグナルターミナル１４０を介してケーブル１に伝送される場合、半田付け部１４１を介してシグナルターミナル１４０に流入した信号は、単一アーム１４２を介して直ちにケーブル１に伝送される。すなわち、シグナルターミナル１４０において信号が一方向に移動するので、シグナルターミナル１４０での信号の反射現象が低減する。
【００６７】
図６は、図１に示す電気コネクタ１００の平面図である。
【００６８】
図６に示すように、複数のグランドターミナル１３０のそれぞれは、アクチュエータ１２０の長手方向（同図におけるハウジング１１０の左右方向）に所定の間隔をおいて複数のシグナルターミナル１４０の間に配置される。例えば、アクチュエータ１２０の長手方向に、シグナルターミナル１４０がｎ個（同図においてｎ＝２）配置され、その後グランドターミナル１３０がｍ個（同図においてｍ＝１）配置され、その配列が繰り返された場合を示す。
【００６９】
しかし、グランドターミナル１３０の配列は、このような規則的配列に限定されるものではない。グランドターミナル１３０は、複数のシグナルターミナル１４０の間に非規則的に（非規則的であるが所定の間隔をおいて）配置されてもよい。
【００７０】
複数のグランドターミナル１３０及び複数のシグナルターミナル１４０は、アクチュエータ１２０の中心を基準として対称となるように配列されてもよい。
【００７１】
図７は、図１に示す電気コネクタ１００におけるインピーダンスを示すグラフである。
【００７２】
前述したように、シグナルターミナル１４０は、半田付け部１４１から単一アーム１４２まで分岐することなく延びた構造を有するので、信号は半田付け部１４１から単一アーム１４２に直ちに移動する。よって、シグナルターミナル１４０での信号の反射現象がほとんど起こらない。
【００７３】
図７のグラフを参照すると、電気コネクタ１００においてインピーダンスの低下はほとんど起こらない。そこからシグナルターミナル１４０での信号の反射現象がほとんど起こらないことが分かる。
【００７４】
前述したように、本考案のシグナルターミナル１４０は、途中で分岐することなく前後方に長く延設され、回路基板とケーブル１を接続する。上記構造によれば、分岐した形態を有する従来のシグナルターミナル１２から発生していた信号の反射現象を低減することができる。よって、電気コネクタ１００におけるインピーダンスマッチングを改善することができ、信号の伝送をより高速に行うことができる。
【００７５】
以下、シグナルターミナル１４０が前述した新たな形態を有しても、ケーブル１を固定／分離するためのアクチュエータ１２０の支持及び回転動作が円滑に行われるようにすることのできる電気コネクタ１００について説明する。
【００７６】
図８は、図２に示すフィッティングネイル１５０の拡大図であり、図９及び図１０は、図２のＣ部を異なる方向から見た図であり、図１１は、図１のＤ−Ｄ線断面図である。
【００７７】
図８〜図１１に示すように、フィッティングネイル１５０は、所定の剛性を有する金属フレームで構成される。フィッティングネイル１５０は、締結部１５１及び固定部１５２を備え、シャフト部１２１を支持するように構成される。
【００７８】
締結部１５１は、ケーブル挿入部１１１の両側部にそれぞれ結合される。締結部１５１は、ベース１５１ａ、第１アーム１５１ｂ及び第２アーム１５１ｃを備える。
【００７９】
ケーブル挿入部１１１の両側部には、スロット１１１ａがそれぞれ形成される。スロット１１１ａは、ケーブル挿入部１１１の底面を貫通して形成され、ハウジング１１０の前後方向に延びている。
【００８０】
ベース１５１ａは、スロット１１１ａに挿入される。同図に示すように、ベース１５１ａは、ケーブル挿入部１１１の底面に対して垂直に立てられた形態で配置されてもよい。
【００８１】
第１アーム１５１ｂ及び第２アーム１５１ｃは、ベース１５１ａから分岐してそれぞれ後方に延びている。第１アーム１５１ｂ及び第２アーム１５１ｃは、ベース１５１ａと同様に、ケーブル挿入部１１１の底面に対して垂直に立てられた形態で配置されてもよい。
【００８２】
第１アーム１５１ｂは、ベース１５１ａの上側から後方に延びており、ハウジング１１０の固定溝１１１ｂに挿入される。固定溝１１１ｂは、ケーブル挿入部１１１の背面からハウジング１１０の後方に向かって凹設される。
【００８３】
第２アーム１５１ｃは、ベース１５１ａの下側から後方に延びており、ハウジング１１０の厚さ方向にハウジング１１０を挟んで第１アーム１５１ｂに対向して配置される。ハウジング１１０の底面には、上側に凹んだ収容溝１１１ｃが形成され、収容溝１１１ｃには、第２アーム１５１ｃが挿入されるようにしてもよい。
【００８４】
固定部１５２は、ベース１５１ａから折り曲げられており、ハウジング１１０の底面の下方に配置される。固定部１５２は、回路基板に半田付けされ、ハウジング１１０を回路基板に固定する。
【００８５】
図１２及び図１３は、アクチュエータ１２０がグランドターミナル１３０とフィッティングネイル１５０により回転支持される構造を説明するための概念図である。図１２は、アクチュエータ１２０が閉じた状態を示し、図１３は、アクチュエータ１２０が開いた状態を示している。
【００８６】
図１２及び図１３に示すように、フィッティングネイル１５０は、アクチュエータ１２０のシャフト部１２１を支持するように構成される。同図においては、シャフト部１２１が第１アーム１５１ｂの上面に支持された場合を示す。また、シャフト部１２１の前方には、後述する固定突起１５１ｄが位置し、シャフト部１２１の後方には、ケーブル挿入部１１１の背面が位置する。すなわち、シャフト部１２１は、固定突起１５１ｄとケーブル挿入部１１１の背面の間に配置された第１アーム１５１ｂの上面に支持されている。
【００８７】
また、グランドターミナル１３０の上部アーム１３２に形成された回転ガイド凹部１３２ａは、シャフト部１２１の上側を囲むように構成されている。
【００８８】
よって、アクチュエータ１２０の回転軸を形成するシャフト部１２１は、下側がフィッティングネイル１５０に支持され、上側がグランドターミナル１３０の上部アーム１３２に囲まれるように構成される。このようなフィッティングネイル１５０による支持構造及びグランドターミナル１３０による回転ガイド構造によりアクチュエータ１２０の回転動作が円滑に行われるようになる。
【００８９】
図１４は、図１のＥ部の拡大図である。
【００９０】
図１４に示すように、アクチュエータ１２０の両側部には、固定孔１２２ａがそれぞれ形成されている。締結部１５１には、アクチュエータ１２０がケーブル挿入部１１１を覆うように配置された状態で固定孔１２２ａに挿入される固定突起１５１ｄが突設されている。固定突起１５１ｄは、ベース１５１ａと第１アーム１５１ｂの間に配置される。
【００９１】
固定突起１５１ｄの一部は、固定孔１２２ａに締まり嵌め方式で挿入されるようにしてもよい。例えば、固定突起１５１ｄの下端部の幅の方が固定孔１２２ａの幅より大きく形成され、固定突起１５１ｄの下端部が固定孔１２２ａに締まり嵌め方式で挿入されるようにしてもよい。
【００９２】
上記構造によれば、所定以上の力でアクチュエータ１２０を持ち上げないと、固定突起１５１ｄが固定孔１２２ａから分離されない。よって、アクチュエータ１２０が閉じた状態で、弱い力だけでアクチュエータ１２０が持ち上げられてしまう問題を防止することができる。
【符号の説明】
【００９３】
１  ケーブル
１ａ’  グランドパッド
１ａ’’  シグナルパッド
１００  電気コネクタ
１１０  ハウジング
１１１  ケーブル挿入部
１１１ａ  スロット
１１１ｂ  固定溝
１１１ｃ  収容溝
１１２’  第１ターミナル挿入部
１１２’’  第２ターミナル挿入部
１１３  上壁
１１４  底壁
１１５  中間壁
１１６  突出壁
１２０  アクチュエータ
１２１  シャフト部
１２２  ボディ部
１２２ａ  固定孔
１３０  グランドターミナル
１３２  上部アーム
１３２ａ  回転ガイド凹部
１３２ｂ  第１圧入突出部
１３３  下部アーム
１４０  シグナルターミナル
１４２  単一アーム
１４３  第２圧入突出部
１５０  フィッティングネイル
１５１  締結部
１５１ａ  ベース
１５１ｂ  第１アーム
１５１ｃ  第２アーム
１５１ｄ  固定突起
１５２  固定部
【図１】
0003234758.tif 000003
【図２】
0003234758.tif 000004
【図３】
0003234758.tif 000005
【図４】
0003234758.tif 000006
【図５】
0003234758.tif 000007
【図６】
0003234758.tif 000008
【図７】
0003234758.tif 000009
【図８】
0003234758.tif 000010
【図９】
0003234758.tif 000011
【図１０】
0003234758.tif 000012
【図１１】
0003234758.tif 000013
【図１２】
0003234758.tif 000014
【図１３】
0003234758.tif 000015
【図１４】
0003234758.tif 000016
【図１５】
0003234758.tif 000017
【図１６】
0003234758.tif 000018